(57)【要約】      （修正有）【課題】基地局およびユーザ機器（ＵＥ）を備えた通信システムにおいて使用される中継局のためのシステム、装置、および方法を提供する。【解決手段】基地局は、ＵＥへダウンリンク（ＤＬ）割当およびデータを送信し（１００２）、ＤＬデータが中継局によって復号されたかを判定する（１００３）。ＤＬデータが中継局によって復号されている場合、基地局から中継局へ事前割当を送信するとともに（１００６）、中継局からＵＥへ復号されたＤＬデータを送信する（１０１０）。ＤＬデータが中継局によって復号されていない場合、中継局から基地局へ否定的なアクノリッジメント（ＮＡＫ）信号を送信し（１０２０）、基地局からＵＥへ、ＤＬ割当およびデータを再送信する（１０２４）。【選択図】図１０
2014014115.tif 000002
【特許請求の範囲】
【請求項１】
装置であって、
データ・パケットを復号し、前記データ・パケットを、中継局によってサービス提供されているユーザ機器（ＵＥ）と基地局との間で転送し、ここで、前記中継局は、前記ＵＥとダイレクトなリンクを確立しない、
前記データ・パケットの復号の成功を前記基地局へ示し、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
ための命令群を実行するように構成されたプロセッサと、
前記命令群を格納するように構成されたメモリと、
を備える装置。
【請求項２】
前記基地局から前記ＵＥへアクノレッジメント（ＡＣＫ）を送信することをさらに備える、請求項１に記載の装置。
【請求項３】
前記基地局が前記データ・パケットを復号したかを判定することをさらに備える、請求項１に記載の装置。
【請求項４】
前記基地局が前記データ・パケットを復号しなかった場合、復号されたデータ・パケットを前記基地局へ送信することをさらに備える、請求項３に記載の装置。
【請求項５】
前記中継局が前記データ・パケットを復号しなかった場合、否定的なアクノレッジメント（ＮＡＫ）を前記中継局から前記基地局へ送信することをさらに備える、請求項１に記載の装置。
【請求項６】
前記中継局が前記データ・パケットを復号しなかった場合、否定的なアクノレッジメント（ＮＡＫ）を前記基地局から前記ＵＥへ送信することと、前記ＵＥによる前記データ・パケットの再送信とをさらに備える、請求項５に記載の装置。
【請求項７】
方法であって、
データ・パケットを復号し、前記データ・パケットを、中継局によってサービス提供されているユーザ機器（ＵＥ）と基地局との間で転送することと、ここで、前記中継局は、前記ＵＥとダイレクトなリンクを確立しない、
前記データ・パケットの復号の成功を前記基地局へ示すことと、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
を備える方法。
【請求項８】
前記基地局から前記ＵＥへアクノレッジメント（ＡＣＫ）を送信することをさらに備える、請求項７に記載の方法。
【請求項９】
前記基地局が前記データ・パケットを復号したかを判定することをさらに備える、請求項７に記載の方法。
【請求項１０】
前記基地局が前記データ・パケットを復号しなかった場合、復号されたデータ・パケットを前記基地局へ送信することをさらに備える、請求項９に記載の方法。
【請求項１１】
前記中継局が前記データ・パケットを復号しなかった場合、否定的なアクノレッジメント（ＮＡＫ）を前記中継局から前記基地局へ送信することをさらに備える、請求項７に記載の方法。
【請求項１２】
前記中継局が前記データ・パケットを復号しなかった場合、否定的なアクノレッジメント（ＮＡＫ）を前記基地局から前記ＵＥへ送信することと、前記ＵＥによる前記データ・パケットの再送信とをさらに備える、請求項１１に記載の方法。
【請求項１３】
コンピュータ・プログラム製品であって、
データ・パケットを復号し、前記データ・パケットを、中継局によってサービス提供されているユーザ機器（ＵＥ）と基地局との間で転送することと、ここで、前記中継局は、前記ＵＥとダイレクトなリンクを確立しない、
前記データ・パケットの復号の成功を前記基地局へ示すことと、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
を少なくとも１つのコンピュータに対して実行させるためのコードを備えるコンピュータ読取可能媒体を備える、コンピュータ・プログラム製品。
【請求項１４】
少なくとも１つのコンピュータに対して、前記基地局から前記ＵＥへアクノレッジメント（ＡＣＫ）を送信させるためのコードをさらに備える、請求項１３に記載のコンピュータ・プログラム製品。
【請求項１５】
少なくとも１つのコンピュータに対して、前記基地局が前記データ・パケットを復号したかを判定させるためのコードをさらに備える、請求項１３に記載のコンピュータ・プログラム製品。
【請求項１６】
前記基地局が前記データ・パケットを復号しなかった場合、少なくとも１つのコンピュータに対して、復号されたデータ・パケットを前記基地局へ送信させるためのコードをさらに備える、請求項１５に記載のコンピュータ・プログラム製品。
【請求項１７】
前記中継局が前記データ・パケットを復号しなかった場合、少なくとも１つのコンピュータに対して、否定的なアクノレッジメント（ＮＡＫ）を前記中継局から前記基地局へ送信させるためのコードをさらに備える、請求項１３に記載のコンピュータ・プログラム製品。
【請求項１８】
前記中継局が前記データ・パケットを復号しなかった場合、少なくとも１つのコンピュータに対して、否定的なアクノレッジメント（ＮＡＫ）の前記基地局から前記ＵＥへの送信と、前記ＵＥによる前記データ・パケットの再送信とを実行させるためのコードをさらに備える、請求項１７に記載のコンピュータ・プログラム製品。
【請求項１９】
装置であって、
データ・パケットを復号し、前記データ・パケットを、中継局によってサービス提供されているユーザ機器（ＵＥ）と基地局との間で転送する手段と、ここで、前記中継局は、前記ＵＥとダイレクトなリンクを確立しない、
前記データ・パケットの復号の成功を前記基地局へ示す手段と、ここで、前記基地局が、前記中継局から、前記データ・パケットの復号の成功を示す情報を受信した場合、前記基地局１１０は、前記基地局と前記ＵＥとの間のダイレクトなリンクでのＨＡＲＱ送信を終了させ、これによって、ＨＡＲＱ再送信時間が、前記基地局と前記ＵＥとの間のダイレクトな通信に対して延長されるようになる、
を備える装置。
【請求項２０】
前記基地局から前記ＵＥへアクノレッジメント（ＡＣＫ）を送信する手段をさらに備える、請求項１９に記載の装置。
【請求項２１】
前記基地局が前記データ・パケットを復号したかを判定する手段をさらに備える、請求項１９に記載の装置。
【請求項２２】
前記基地局が前記データ・パケットを復号しなかった場合、復号されたデータ・パケットを前記基地局へ送信する手段をさらに備える、請求項２１に記載の装置。
【請求項２３】
前記中継局が前記データ・パケットを復号しなかった場合、否定的なアクノレッジメント（ＮＡＫ）を前記中継局から前記基地局へ送信する手段をさらに備える、請求項１９に記載の装置。
【請求項２４】
前記中継局が前記データ・パケットを復号しなかった場合、否定的なアクノレッジメント（ＮＡＫ）の前記基地局から前記ＵＥへの送信と、前記ＵＥによる前記データ・パケットの再送信とのための手段をさらに備える、請求項２３に記載の装置。
【請求項２５】
無線通信方法であって、
基地局からユーザ機器（ＵＥ）へダウンリンク（ＤＬ）割当およびデータを送信することと、
前記ＤＬデータが中継局によって復号されたかを判定することと、
を備える方法。
【請求項２６】
前記ＤＬデータが前記中継局によって復号されている場合、前記基地局から前記中継局へ事前割当を送信することをさらに備える、請求項２５に記載の方法。
【請求項２７】
前記中継局から前記ＵＥへ、復号されたＤＬデータを送信することをさらに備える、請求項２６に記載の方法。
【請求項２８】
前記ＤＬデータが前記中継局によって復号されていない場合、前記中継局から前記基地局へ、否定的なアクノレッジメント（ＮＡＫ）信号を送信することをさらに備える、請求項２５に記載の方法。
【請求項２９】
前記基地局から前記ＵＥへ、ＤＬ割当およびデータを再送信することをさらに備える、請求項２８に記載の方法。
【請求項３０】
基地局とユーザ機器（ＵＥ）とを備えた通信システムで使用される中継局であって、
前記基地局から前記ＵＥへ送信されたダウンリンク（ＤＬ）データを復号するように構成された命令群を実行するように構成されたプロセッサと、
前記命令群を格納するように構成されたメモリと、
を備える中継局。
【請求項３１】
前記ＤＬデータが前記中継局によって復号されている場合、前記基地局から事前割当を受信する、請求項３０に記載の中継局。
【請求項３２】
復号されたＤＬデータを前記ＵＥへ送信することをさらに備える、請求項３１に記載の中継局。
【請求項３３】
前記ＤＬデータが前記中継局によって復号されていない場合、前記基地局へ、否定的なアクノレッジメント（ＮＡＫ）信号を送信することをさらに備える、請求項３０に記載の中継局。
【請求項３４】
前記基地局は、ＤＬ割当およびデータを、前記ＵＥへ再送信する、請求項３３に記載の中継局。
【請求項３５】
装置であって、
基地局からユーザ機器（ＵＥ）へ送信されたダウンリンク（ＤＬ）データを復号する手段を備える装置。
【請求項３６】
前記ＤＬデータが中継局によって復号されている場合、前記基地局から事前割当を受信する手段をさらに備える、請求項３５に記載の装置。
【請求項３７】
復号されたＤＬデータを前記ＵＥへ送信する手段をさらに備える、請求項３６に記載の装置。
【請求項３８】
前記ＤＬデータが中継局によって復号されていない場合、否定的なアクノレッジメント（ＮＡＫ）信号を前記基地局へ送信する手段をさらに備える、請求項３５に記載の装置。
【請求項３９】
前記基地局は、ＤＬ割当およびデータを前記ＵＥへ再送信する、請求項３８に記載の装置。
【請求項４０】
コンピュータ・プログラム製品であって、
少なくとも１つのコンピュータに対して、基地局からユーザ機器（ＵＥ）へ送信されたダウンリンク（ＤＬ）データを復号させるためのコードを備えるコンピュータ読取可能媒体を備える、コンピュータ・プログラム製品。
【請求項４１】
前記ＤＬデータが前記中継局によって復号されている場合、少なくとも１つのコンピュータに対して、前記基地局から事前割当を受信させるためのコードをさらに備える、請求項４０に記載のコンピュータ・プログラム製品。
【請求項４２】
少なくとも１つのコンピュータに対して、復号されたＤＬデータを前記ＵＥへ送信させるためのコードをさらに備える、請求項４１に記載のコンピュータ・プログラム製品。
【請求項４３】
前記ＤＬデータが前記中継局によって復号されていない場合、少なくとも１つのコンピュータに対して、前記基地局へ、否定的なアクノレッジメント（ＮＡＫ）信号を送信させるためのコードをさらに備える、請求項４０に記載のコンピュータ・プログラム製品。
【請求項４４】
前記基地局は、ＤＬ割当およびデータを、前記ＵＥへ再送信する、請求項４３に記載のコンピュータ・プログラム製品。
【発明の詳細な説明】
【関連出願に対する相互参照】
【０００１】
本願は、参照によって全体が本明細書に具体的に組み込まれている２００９年７月１５日出願の米国仮出願６１／２２５，８４４号の３５Ｕ．Ｓ．Ｃ．１１９（ｅ）に準拠した利益を主張する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００３】
一般に、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００４】
従来のモバイル電話ネットワーク基地局を補足するために、よりロバストな無線有効通信範囲をモバイル・ユニットに提供するためのさらなる基地局が展開されうる。例えば、無線中継局および小型有効通信範囲基地局（例えば、一般にアクセス・ポイント基地局、ホーム・ノードＢ、フェムト・アクセス・ポイント、またはフェムト・セルと呼ばれる）は、増加する容量成長、より豊かなユーザ経験、およびビルディング内有効通信範囲のために展開されうる。一般に、このような小型有効通信範囲基地局は、ＤＳＬルータあるいはケーブル・モデムによって、インターネットおよびモバイル・オペレータのネットワークに接続される。このようなその他のタイプの基地局は、従来の基地局（例えば、マクロ基地局）とは異なる方式で、従来のモバイル電話ネットワーク（例えば、バックホール）に追加されうるので、このようなその他のタイプの基地局と、関連付けられたユーザ機器とを管理するための効率的な技術に対するニーズがある。
【図面の簡単な説明】
【０００５】
本開示の特徴、特性、および利点は、同一の参照符号が全体を通じて同一物を特定している図面とともに考慮された場合、以下に記載する詳細な記述からより明らかになるだろう。
【図１】図１は、１つの実施形態にしたがう多元接続無線通信システムを例示する。
【図２】図２は、通信システムのブロック図を例示する。
【図３】図３は、ネットワーク環境内のアクセス・ポイント基地局の配置を可能にする典型的な通信システムを例示する。
【図４】図４は、ＬＴＥシステムでありうるか、または、中継局を利用するその他いくつかの無線システムでありうる無線通信システムを例示する。
【図５】図５は、基地局／ｅＮＢ、中継局、およびＵＥの設計のブロック図を例示する。
【図６】図６は、中継局のための透過的な中継のためにＨＡＲＱ手順を適用する方法のブロック図を例示する。
【図７】図７は、中継局のための透過的な中継のためにＨＡＲＱ手順を適用する処理を例示するフローチャートである。
【図８】図８は、各ＵＬ送信について、アンカ基地局が、１つはＵＥに向けられた、もう１つは中継局に向けられた、２つの送信をスケジュールする方法のブロック図を例示する。
【図９】図９は、ダウンリンク（ＤＬ）のために非同期ＨＡＲＱ手順を適用する方法のブロック図を例示する。
【図１０】図１０は、ダウンリンク（ＤＬ）のためにＨＡＲＱ手順を適用する処理を例示するフローチャートである。
【発明を実施するための形態】
【０００６】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【０００７】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰロング・ターム・イボリューション（ＬＴＥ）またはイボルブドＵＴＲＡにおけるアップリンク多元接続スキームのための動作前提である。
【０００８】
図１に示すように、１つの実施形態にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信している。アンテナ１１２およびアンテナ１１４は、順方向リンク１１９によってアクセス端末１１６へ情報を送信し、逆方向リンク１１８によってアクセス端末１１６から情報を受信しうる。アクセス端末１３０は、アンテナ１０６、１０８と通信する。ここで、アンテナ１０６、１０８は、順方向リンク１２６でアクセス端末１３０へ情報を送信し、逆方向リンク１２４でアクセス端末１３０から情報を受信する。ＦＤＤシステムでは、通信リンク１１８、１１９、１２４、１２６は、通信のために、異なる周波数を使用しうる。例えば、順方向リンク１１９は、逆方向リンク１１８によって使用されるものとは異なる周波数を使用しうる。
【０００９】
アンテナの各グループ、および／または、これらが通信するように設計された領域は、しばしば、アクセス・ポイントのセクタと称される。実施形態では、おのおののアンテナ・グループは、アクセス・ポイント１００によってカバーされる領域のセクタ内のアクセス端末と通信するように設計される。
【００１０】
順方向リンク１１９、１２６による通信では、アクセス・ポイント１００の送信アンテナは、別のアクセス端末１１６、１３０の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００１１】
アクセス・ポイントは、端末と通信するために使用される固定局かもしれず、アクセス・ポイント、ノードＢ、イボルブド・ノードＢ（ｅＮＢ）、またはその他のいくつかの用語で称される。アクセス端末はまた、アクセス端末、ユーザ機器（ＵＥ）、無線通信デバイス、端末、アクセス端末、あるいはその他いくつかの専門用語で称されうる。
【００１２】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００１３】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００１４】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００１５】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００１６】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００１７】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００１８】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００１９】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００２０】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２１】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定し、この抽出されたメッセージを処理する。
【００２２】
図３は、ネットワーク環境内のアクセス・ポイント基地局の配置を可能にする典型的な通信システムを例示する。図３に図示するように、システム３００は、複数のアクセス・ポイント基地局、あるいは、フェムト・セル、例えばＨＮＢ３１０のようなホーム・ノードＢユニット（ＨＮＢ）、またはホーム・イボルブド・ノードＢユニット（ＨｅＮＢ）を含む。これらおのおのは、例えば、１または複数のユーザ住居３３０内のように、対応する小さなネットワーク環境内に搭載され、外部のみならず、関連付けられているユーザ機器（ＵＥ）または移動局３２０にサービス提供するように構成されている。おのおののＨＮＢ３１０はさらに、（図示しない）ＤＳＬルータや、あるいは（図示しない）ケーブル・モデムや、マクロ・セル・アクセス３４５によって、インターネット３４０およびモバイル・オペレータ・コア・ネットワーク３５０に接続される。
【００２３】
図４は、ＬＴＥシステム、または、中継局を利用するその他いくつかの無線システムでありうる無線通信システム１０１を示す。システム１０１は、多くのイボルブド・ノードＢ（ｅＮＢ）、中継局、および、多くのＵＥのための通信をサポートするその他のシステム・エンティティを含みうる。ｅＮＢは、ＵＥと通信する局であり、基地局、ノードＢ、アクセス・ポイント等とも称されうる。ｅＮＢは、特定の地理的エリアのために通信有効範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。ｅＮＢは、１または複数（例えば３つ）のセルをサポートしうる。
【００２４】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、自宅）をカバーし、フェムト・セルとの関連を持つＵＥ（例えば、クローズド加入者グループ（ＣＳＧ）におけるＵＥ）による無制限のアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図４では、ｅＮＢ１１０は、マクロ・セル１０３のためのマクロｅＮＢであり、ｅＮＢ１１５は、ピコ・セル１０５のためのピコｅＮＢであり、ｅＮＢ１１７は、フェムト・セル１０７のためのフェムトｅＮＢでありうる。システム・コントローラ１４０は、ｅＮＢのセットに接続しており、これらｅＮＢのために調整および制御を提供しうる。
【００２５】
中継局１２０は、上流局（例えば、ｅＮＢ１１０またはＵＥ１３０）からデータおよび／またはその他の情報の送信を受信し、下流局（例えば、ＵＥ１３０またはｅＮＢ１１０）へとデータおよび／またはその他の情報の送信を送る局でありうる。中継局はまた、リレー、リレーｅＮＢ等とも称されうる。中継局はまた、他のＵＥのための送信を中継するＵＥでもありうる。図４において、中継局１２０は、ｅＮＢ１１０とＵＥ１３０との間の通信を容易にするために、ｅＮＢ１１０およびＵＥ１３０と通信しうる。
【００２６】
ＵＥ１３０、１３３、１３５、１３７は、システムの全体にわたって分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、ダウンリンクおよびアップリンクでｅＮＢおよび／または中継局と通信しうる。ダウンリンク（すなわち、順方向リンク）は、ｅＮＢから中継局への、または、ｅＮＢまたは中継局からＵＥへの通信リンクを称する。アップリンク（すなわち、逆方向リンク）は、ＵＥからｅＮＢまたは中継局への、または、中継局からｅＮＢへの通信リンクを称する。図４では、ＵＥ１３３は、ダウンリンク１２３およびアップリンク１２５によってｅＮＢ１１０と通信しうる。ＵＥ１３０は、アクセス・ダウンリンク１５３およびアクセス・アップリンク１５４によって中継局１２０と通信しうる。中継局１２０は、バックホール・ダウンリンク１４３およびバックホール・アップリンク１４５によってｅＮＢ１１０と通信しうる。
【００２７】
一般に、ｅＮＢは、任意の数のＵＥ、および、任意の数の中継局と通信しうる。同様に、中継局は、任意の数のｅＮＢ、および、任意の数のＵＥと通信しうる。簡略のために、以下の説明の多くは、中継局１２０を経由したｅＮＢ１１０とＵＥ１３０との間の通信に関する。
【００２８】
ＬＴＥは、ダウンリンクで周波数分割多重化（ＯＦＤＭ）を、アップリンクでシングル・キャリア周波数分割多重化（ＳＣ−ＦＤＭ）を利用する。ＯＦＤＭおよびＳＣ−ＦＤＭは、周波数範囲を、一般にトーン、ビン等とも称される複数（Ｎ．ｓｕｂ．ＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｎ．ｓｕｂ．ＦＦＴ）は、システム帯域幅に依存しうる。例えば、Ｎ．ｓｕｂ．ＦＦＴは、１．２５、２．５、５、１０、２０メガヘルツ（ＭＨｚ）のシステム帯域幅についてそれぞれ１２８、２５６、５１２、１０２４、２０４８にそれぞれ等しい。
【００２９】
システムは、ＦＤＤまたはＴＤＤを利用しうる。ＦＤＤの場合、ダウンリンクおよびアップリンクは、個別の周波数チャネルを割り当てられる。ダウンリンク送信およびアップリンク送信は、２つの周波数チャネルで同時に送信されうる。ＴＤＤの場合、ダウンリンクおよびアップリンクは、同じ周波数チャネルを共有する。ダウンリンク送信およびアップリンク送信は、異なる時間インタバルで、同じ周波数チャネルで送信されうる。
【００３０】
したがって、無線通信システム１０１は、多くのＵＥ１３０、１３２、１３５、１３７のための通信をサポートしうる１または複数の基地局１１０を含みうる。このシステムはまた、潜在的に高価な有線バックホール・リンクを必要とすることなく、システムの有効通信範囲および容量を向上しうる中継局１２０をも含みうる。中継局は、上流局（例えば、基地局）からの信号を受信し、受信した信号を処理して、この信号で送信されたデータを復元し、復元されたデータに基づいて中継信号を生成し、この中継信号を下流局（例えば、ＵＥ）へ送信する、「復号および転送」局でありうる。
【００３１】
例えば、中継局１２０は、バックホール・リンク上の基地局１１０と通信し、基地局に対してＵＥとして見える。中継局はまた、アクセス・リンク上の１または複数のＵＥと通信し、ＵＥ（単数または複数）に対して基地局として見える。しかしながら、中継局は、一般に、同じ周波数チャネルで、同時に送信および受信することができない。したがって、バックホール・リンクおよびアクセス・リンクは、時分割多重化されうる。さらに、システムは、中継局の動作に悪影響を及ぼしうるある要件を有しうる。この送信／受信制限のみならず、その他のシステム要件を考慮して、中継局の効率的な動作をサポートすることが望まれうる。
【００３２】
図５は、基地局／ｅＮＢ１１０、中継局１２０、およびＵＥ１３０の設計のブロック図を示す。基地局１１０は、ダウンリンクで１または複数のＵＥへ送信を送り、アップリンクで１または複数のＵＥから送信を受信する。簡略のために、ＵＥ１３０のみへ送られる送信、または、ＵＥ１３０のみから受信した送信の処理が以下に説明される。
【００３３】
基地局１１０では、送信（ＴＸ）データ・プロセッサ５１０が、データのパケットを受信して、ＵＥ１３０およびその他のＵＥへ送信しうる。また、おのおののパケットを、選択されたＭＣＳにしたがって処理（例えば、符号化および変調）して、データ・シンボルを取得する。ＨＡＲＱの場合、プロセッサ５１０は、おのおののパケットの複数の送信を生成し、一度に、１つの送信を提供することができる。プロセッサ５１０はまた、制御シンボルを取得するために、制御情報を処理し、基準信号のための基準シンボルを生成し、データ・シンボル、制御シンボル、および基準シンボルを多重化しうる。プロセッサ５１０はさらに、出力サンプルを生成するために、これら多重化されたシンボルを（例えば、ＯＦＤＭ等のために）処理しうる。送信機（ＴＭＴＲ）５１２は、ダウンリンク信号を生成するために、これら出力サンプルを調整（例えば、アナログ変換、増幅、フィルタ、およびアップコンバート）しうる。ダウンリンク信号は、中継局１２０およびＵＥへ送信されうる。
【００３４】
中継局１２０では、基地局１１０からのダウンリンク信号が受信され、受信機（ＲＣＶＲ）５３６に提供されうる。受信機５３６は、受信した信号を調整（例えば、フィルタ、増幅、ダウンコンバート、およびデジタル化）して、入力サンプルを提供しうる。受信（ＲＸ）データ・プロセッサ５３８は、（例えば、ＯＦＤＭ等のために）これら入力サンプルを処理して、受信されたシンボルを取得しうる。プロセッサ５３８はさらに、ＵＥ１３０へ送信される制御情報およびデータを復元するために、受信されたシンボルを処理（例えば、復調および復号）しうる。ＴＸデータ・プロセッサ５３０は、データ・シンボルおよび制御シンボルを取得するために、基地局１１０と同様に、プロセッサ５３８からの復元されたデータおよび制御情報を処理（例えば、符号化および変調）しうる。プロセッサ５３０はまた、基準シンボルを生成し、データ・シンボルおよび制御シンボルを基準シンボルと多重化し、多重化されたシンボルを処理して、出力サンプルを得る。送信機５３２は、出力サンプルを調整し、ダウンリンク中継信号を生成する。これは、ＵＥ１３０へ送信されうる。
【００３５】
ＵＥ１３０では、基地局１１０からのダウンリンク信号と、中継局１２０からのダウンリンク中継信号が、受信機５５２によって受信および調整され、ＲＸデータ・プロセッサ５５４によって処理され、ＵＥ１３０へ送信された制御情報およびデータが復元される。コントローラ／プロセッサ５６０は、正しく復号されたパケットのためのＡＣＫ情報を生成しうる。アップリンクで送信されるべきデータおよび制御情報（例えば、ＡＣＫ情報）は、ＴＸデータ・プロセッサ５５６によって処理され、送信機５５８によって調整され、アップリンク信号が生成される。これは、中継局１２０へ送信されうる。
【００３６】
中継局１２０では、ＵＥ１３０からのアップリンク信号が、受信機５３６によって受信および調整され、ＲＸデータ・プロセッサ５３８によって処理され、ＵＥ１３０によって送信されたデータおよび制御情報が復元される。復元されたデータおよび制御情報は、ＴＸデータ・プロセッサ５３０によって処理され、送信機５３２によって調整されて、アップリンク中継信号が生成される。これは、基地局１１０へ送信されうる。基地局１１０では、中継局１２０からのアップリンク中継信号が、受信機５１６によって受信および調整され、ＲＸデータ・プロセッサ５１８によって処理されて、ＵＥ１３０によって中継局１２０を経由して送信されたデータおよび制御情報が復元される。コントローラ／プロセッサ５２０は、ＵＥ１３０からの制御情報に基づいて、データの送信を制御しうる。
【００３７】
コントローラ／プロセッサ５２０、５４０、５６０は、基地局１１０、中継局１２０、およびＵＥ１３０それぞれにおける動作を指示しうる。メモリ５２２、５４２、５６２は、基地局１１０、中継局１２０、およびＵＥ１３０それぞれのためのデータおよびプログラム・コードを格納しうる。
【００３８】
態様では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために、１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）を備える。
【００３９】
態様では、伝送チャンネルはＤＬとＵＬに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４０】
ＤＬ  ＰＨＹチャネルは、以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００４１】
ＵＬ  ＰＨＹチャネルは、以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００４２】
態様では、シングル・キャリア波形の低ＰＡＲ（所与の時間において、チャネルは、周波数において隣接しているか、あるいは一定の間隔をもって配置されている）特性を維持するチャネル構造が提供される。
【００４３】
本書の目的のために、以下の略語を適用する。  
ＡＣＫ：アクノレッジメント、  
ＡＭ：アクノレッジ・モード、  
ＡＭＤ：アクノレッジ・モード・データ、  
ＡＲＱ：自動反復要求、  
ＢＣＣＨ：ブロードキャスト制御チャネル、  
ＢＣＨ：ブロードキャスト・チャネル、  
Ｃ−：制御−、  
ＣＣＣＨ：共通制御チャネル、  
ＣＣＨ：制御チャネル、  
ＣＣＴｒＣＨ：符号化された合成伝送チャネル、  
ＣＰ：サイクリック・プレフィクス、  
ＣＱＩ：チャネル品質インジケータ、  
ＣＲＣ：巡回冗長検査、  
ＣＳＧ：クローズド加入者グループ、  
ＣＴＣＨ：共通トラフィック・チャネル、  
ＤＣＣＨ：専用制御チャネル、  
ＤＣＨ：専用チャネル、  
ＤＬ：ダウンリンク、  
ＤＳＣＨ：ダウンリンク共有チャネル、  
ＤＴＣＨ：専用トラフィック・チャネル、  
ＦＡＣＨ：順方向リンク・アクセス・チャネル、  
ＦＤＤ：周波数分割デュプレクス、  
ＨＡＲＱ：ハイブリッド自動反復要求、  
Ｌ１：レイヤ１（物理レイヤ）、  
Ｌ２：レイヤ２（データ・リンク・レイヤ）、  
Ｌ３：レイヤ３（ネットワーク・レイヤ）、  
ＬＩ：長さインジケータ、  
ＬＳＢ：最下位ビット、  
ＭＡＣ：媒体アクセス制御、  
ＭＢＭＳ：マルチメディア・ブロードキャスト・マルチキャスト・サービス、  
ＭＢＳＦＮ：マルチキャスト・ブロードキャスト単一周波数ネットワーク、  
ＭＣＣＨ：ＭＢＭＳポイント・トゥ・マルチポイント制御チャネル、  
ＭＣＥ：ＭＢＭＳ調整エンティティ、  
ＭＣＨ：マルチキャスト・チャネル、  
ＭＣＳ：変調符号化スキーム、  
ＭＲＷ：動き受信ウィンドウ、  
ＭＳＢ：最上位ビット、  
ＭＳＣＨ：ＭＢＭＳポイント・トゥ・マルチポイント・スケジューリング・チャネル、  
ＭＴＣＨ：ＭＢＭＳポイント・トゥ・マルチポイント・トラフィック・チャネル、  
ＭＳＣＨ：ＭＢＭＳ制御チャネル、  
ＮＡＫ：否定的なアクノレッジメント、  
ＰＣＣＨ：ページング制御チャネル、  
ＰＣＨ：ページング・チャネル、  
ＰＤＣＣＨ：物理ダウンリンク制御チャネル、  
ＰＤＳＣＨ：物理ダウンリンク共有チャネル、  
ＰＤＵ：プロトコル・データ・ユニット、  
ＰＨＩＣＨ：物理インジケータ信号アクノレッジメント、  
ＰＨＹ：物理レイヤ、  
ＰｈｙＣＨ：物理チャネル、  
ＰＵＳＣＨ：物理アップリンク共有チャネル、  
ＲＡＣＨ：ランダム・アクセス・チャネル、  
ＲＬＣ：ラジオ・リンク制御、  
ＲＲＣ：ラジオ・リソース制御、  
ＳＡＰ：サービス・アクセス・ポイント、  
ＳＤＵ：サービス・データ・ユニット、  
ＳＦ：サブフレーム、  
ＳＨＣＣＨ：共有チャネル制御チャネル、  
ＳＮ：シーケンス番号、  
ＳＲ：スケジューリング要求、  
ＳＵＦＩ：スーパ・フィールド、  
ＴＣＨ：トラフィック・チャネル、  
ＴＤＤ：時分割デュプレクス、  
ＴＦＩ：伝送フォーマット・インジケータ、  
ＴＭ：透過モード、  
ＴＭＤ：透過モード・データ、  
ＴＴＩ：送信時間インタバル、  
Ｕ−：ユーザ−、  
ＵＥ：ユーザ機器、  
ＵＬ：アップリンク、  
ＵＭ：非アクノレッジ・モード、  
ＵＭＤ：非アクノレッジ・モード・データ、  
ＵＭＴＳ：ユニバーサル・モバイル通信システム、  
ＵＴＲＡ：ＵＭＴＳ地上ラジオ・アクセス、  
ＵＴＲＡＮ：ＵＭＴＳ地上ラジオ・アクセス・ネットワーク、  
ＶＰＬＭＮ：訪問公衆地上モバイル・ネットワーク。
【００４４】
本明細書において詳細に記載された実施形態は、中継局１２０を経由した透過的な中継のためにハイブリッド自動反復要求（ＨＡＲＱ）手順を適用する方法および装置を記載する。
【００４５】
例えば、透過的名な中継が、中継局１２０を経由した中継として定義されうる。ここでは、中継局１２０がサービス提供しているＵＥ１３０と中継局１２０との間で確立された独立した制御チャネルは存在しない。この設定の下、透過的な中継局１２０は、ＵＥ１３０からの制御チャネルを送信または受信する必要がない。その代わり、中継局１２０は単に、基地局１１０との制御チャネルを維持する必要がある。
【００４６】
不運にも、制御チャネルの欠如は、ＬＴＥシステムのためのハイブリッド自動反復要求（ＨＡＲＱ）ループの故障をもたらす。したがって、透過的な中継局１２０および関連付けられたＵＥ（単数または複数）１３０のためＨＡＲＱ手順を可能にする方法および装置を提供することは有益でありうる。
【００４７】
システム、装置、および方法は、基地局１１０およびユーザ機器（ＵＥ）１３０を備えた通信システムで使用される中継局１２０のために開示される。中継局１２０は、データ・パケットを復号し、中継局がサービスしているＵＥ１３０と基地局１１０との間での転送を行いうる。ここでは、中継局は、ＵＥ１３０とダイレクトなリンクを確立しない。さらに、基地局１１０が中継局１２０から、データ・パケットの復号の成功を示す情報を受信した場合、基地局１１０が、基地局１１０とＵＥ１３０との間のダイレクトなリンクでのＨＡＲＱ送信を終了するように、中継局１２０は、基地局１１０に対して、データ・パケットの復号の成功を示す。これによって、ＨＡＲＱ再送信時間が、基地局とＵＥとの間のダイレクトな通信に対して延長されるようになる。
【００４８】
図６を参照して、中継局１２０のための透過的な中継のためにＨＡＲＱ手順を適用する方法６００が例示される。
【００４９】
１つの実施形態では、アンカ基地局１１０は、アップリンク（ＵＬ）割当６０５をＵＥ１３０へ送信しうる。例えば、典型的なＬＴＥタイムラインでは、ＵＥ割当６０５は、サブフレーム（ＳＦ）インデクスＮ−−ＳＮ（Ｎ）を含みうる。ＵＥ１３０は、その後、例えばＰＵＳＣＨ（Ｎ＋４）のような後の時間において、データを、物理アップリンク共有チャネル（ＰＵＳＣＨ）６１０で、アンカ基地局１１０へ送信しうる。中継局１２０は、ＵＬ割当６０５およびＰＵＳＣＨデータ６１０をスニフ（ｓｎｉｆｆ）していることが認識されるべきである。
【００５０】
ＬＴＥシステムの例では、ＬＴＥシステムは、アンカ基地局１１０が、Ｎ＋８において、物理インジケータ信号アクノレッジメント（ＰＨＩＣＨ）を送信することを要求する。ここでは、処理およびスケジューリングのために、４つのサブフレームが使用される。現在の実施形態では、例として、中継局１２０が、ＵＥ送信を復号するために、基地局ｅＮＢ１１０のものと比較して、同程度の復号レイテンシが要求されることが仮定されうる。
【００５１】
次に、アンカ基地局１１０送信が適切にアクノレッジされることを検証するために、中継局１２０がアンカ基地局１１０と情報を交換するための追加のステップが実施される。例として、（時間（Ｎ＋４＋Ｋ）で示すように）復号後Ｋミリ秒（ｍｓ）、中継局１２０は、スケジューリング要求（ＳＲ）６１６をアンカ基地局１１０へ送信しうる。その後、ＳＲ送信後のＬミリ秒、アンカ基地局１１０は、中継局のＳＲを復号しうる。
【００５２】
例えば、物理インジケーション信号アクノレッジメント（ＰＨＩＣＨ）時間フレームを例示するために、ｘ＝Ｋ＋Ｌである場合、アンカ基地局１１０のＰＨＩＣＨタイムラインが、ｘミリ秒飛び出す。
【００５３】
中継局１２０が、ＵＥ送信（すなわち、ＰＵＳＣＨデータ６１０）を正しく復号した場合、中継局１２０は、Ｎ＋４＋Ｋにおいて、ＳＲ６１５をアンカ基地局１１０へ送信し、ＵＥ送信を正しく復号したことを示す。中継局１２０はその後、物理インジケーション信号アクノレッジメント（ＰＨＩＣＨ）と物理ダウンリンク制御チャネル（ＰＤＣＣＨ）との送信を求めてアンカ基地局１１０をモニタしうる。これによって、  
１．アンカ基地局１１０がＰＵＳＣＨデータ６１０を復号した場合、アンカ基地局１１０は、時間（Ｎ＋８＋ｘ）において、ＰＨＩＣＨ６２０としてのアクノレッジメント（ＡＣＫ）と、割当とを、ＰＤＣＣＨでＵＥ１３０へ送信する。この割当は、Ｎ＋８＋ｘ＋４におけるＵＥ送信のために意図されている。中継局１２０はその後、ＰＨＩＣＨとＰＤＣＣＨとの両方を復号し、Ｎ＋８＋ｘ＋４において、ＵＬ受信に転じる。これによって、中継処理が再開する。  
２．一方、アンカ基地局１１０がＰＵＳＣＨデータ６１０を復号しなかった場合、アンカ基地局１１０は、時間（Ｎ＋８＋ｘ）において、ＰＨＩＣＨ６２０としてのアクノレッジメント（ＡＣＫ）と、割当とを、ＰＤＣＣＨで送信する。しかしながら、この割当は、ＵＬ割当６２２であり、Ｎ＋８＋ｘ＋４における中継送信のために意図されている。この事例では、中継局１２０は、この割当を復号し、Ｎ＋８＋ｘ＋４において、ＵＬ送信に転じ、（中継局１２０によって復号された）復号されたＰＵＳＨデータをＵＬ６２５によって送信する。  
３．中継局１２０は、アンカ基地局１１０へ送信する場合、ＬＴＥシステム・タイムラインを使用しうる。なぜなら、中間の中継が存在せず、中継局１２０は、独立した符号を用いてＰＵＳＣＨデータを送信できるからである。また、中継局１２０は、アンカ基地局１１０における結合を容易にするために、ＵＥ１３０が送信したオリジナルのコードワードの冗長ビットからなるＰＵＳＣＨデータを送信しうる。さらに、アンカ基地局１１０は、恐らくは、ＵＥ（単数または複数）１３０送信および中継局（単数または複数）１２０送信を並行してスケジュールしうる。これは、中継局（単数または複数）の送信機能および受信機能のコンフリクトをもたらすであろうことが認識されるべきである。したがって、以前のＰＵＳＣＨデータの復号を支援するために、中継局１２０がアンカ基地局１１０へ送信した場合、ＵＥの新たな送信の変調符号化スキーム（ＭＣＳ）選択は、中継局１２０が外れているという事実を考慮するべきである。さらに、中継局１２０が新たなＰＵＳＨデータを受信した場合、ＵＥの新たな送信のＭＣＳ選択は、中継局１２０が新たなパケット復号を支援しているという事実を考慮すべきである。
【００５４】
一方、中継局１２０が、ＵＥ送信（すなわち、ＰＵＳＣＨデータ６１０）を正しく復号することができない場合、中継局１２０は、否定的なアクノレッジメント（ＮＡＫ）をアンカ基地局１１０へ送信し（あるいは、ＳＲを送信しないことによる暗黙的なＮＡＫによって）、アンカ基地局１１０は、アンカＮＡＫを（例えば、アンカＮＡＫが、Ｎ＋８＋ｘにおいて、ＰＨＩＣＨ  ＵＥによって）ＵＥ１３０へ送信し、アンカ基地局１１０はその後、ＵＬ割当を（例えば、Ｎ＋８＋ｘ＋４において）中継局１２０へ再送信しうる。
【００５５】
図７を参照して、図７は、中継局１２０のための透過的な中継のためＨＡＲＱ手順を適用する処理７００を例示するフローチャートである。ブロック７０２では、アンカ基地局１１０は、ＵＥ１３０に向けてアップリンク（ＵＬ）割当を送信しうる。判定ブロック７０３では、処理７００は、中継局１２０が、ＵＬ割当を正しく復号したかを判定する。正しく復号されていない場合、処理７００は終了する（ブロック７０５）。しかしながら、正しく復号され、ＵＥがＰＵＳＣＨデータをアンカ基地局へ送信した場合（ブロック７１０）、処理７００は次に、中継局１２０がＰＵＳＣＨデータを復号したかを判定する（ブロック７１２）。復号されたのであれば、中継局１２０は、アンカ基地局１１０へＳＲを送信する（ブロック７１４）。次に、処理７００は、アンカ基地局１１０が、ＰＵＳＨデータを復号したかを判定する（ブロック７１６）。復号されたのであれば、アンカ基地局１１０は、ＵＥ１３０へＡＣＫを送信し（ブロック７１８）、中継局１２０は、ＵＬ受信に転じる（ブロック７２０）。復号されていないのであれば、アンカ基地局は、ＵＥ１３０へＡＣＫを送信し（ブロック７３０）、中継局１２０は、復号されたＰＵＳＣＨデータを、ＵＬによってアンカ基地局１１０へ送信する（ブロック７３２）。一方、中継局１２０がＰＵＳＣＨデータを復号できなかった場合（ブロック７１２）、中継局１２０が、ＮＡＫをアンカ基地局１１０へ送信し（ブロック７４０）、アンカ基地局１１０が、ＮＡＫをＵＥへ送信し（ブロック７４２）、ＵＥ１３０が、ＰＵＳＣＨデータを再送信する（ブロック７４４）。
【００５６】
図８を参照して、別の実施形態では、各ＵＬ送信のために、アンカ基地局１１０は、２つの送信、すなわち、ＵＥ１３０に向けられた送信と、中継局１２０に向けられた別の送信とをスケジュールしうる。例えば、アンカ基地局１１０は、中継局１２０へ第１のＵＥ割当８０２を送信し、ＵＥ１３０へ第２のＵＬ割当８０４を送信しうる。例えば、ＵＬ割当８０２とＵＬ割当８０４との両方が、ＳＦインデクスＮにある。その後、Ｎ＋４において、ＵＥ１３０は、ＰＵＳＣＨデータ８１０を送信しうる。中継局１２０がＰＵＳＣＨデータを復号した場合、中継局１２０は、Ｎ＋８において、ＰＵＳＣＨデータ８２０を送信しうる。しかしながら、中継局がＰＵＳＣＨデータを復号しない場合、中継局１２０は、Ａ）何もしないか、または、Ｂ）ＰＵＳＣＨ復号失敗を示すために、アンカ基地局１１０へＮＡＫ８２２を送信する。例えば、ＮＡＫは、新たなＵＬ制御チャネルでありうる。アンカ基地局１１０は、ＵＥ１３０および中継局１２０の両方からのＰＵＳＣＨデータの送信を結合しうる。さらに、アンカ基地局１００は、ＵＥからのＰＵＳＣＨデータの受信をアクノレッジするため、または、アクノレッジしないために、（例えば、ＳＦインデクスＮ＋１２において）ＰＨＩＣＨでＡＣＫまたはＮＡＫ８２４を送信しうる。
【００５７】
図９を参照して、ダウンリンク（ＤＬ）のため非同期ＨＡＲＱ手順を適用するための方法９００が例示される。この実施形態では、ＬＴＥダウンリンク（ＤＬ）割当のために、ＨＡＲＱは非同期でありうる。これによって、個々のおのおのの再送信が、結合無しでセットアップされうる。これは、ＵＥ１３０へのアンカ基地局１１０の送信、および、ＵＥ１３０への中継局１２０の送信の個別スケジューリングを考慮しうる。
【００５８】
図９に示すように、アンカ基地局１１０は、ＤＬ割当およびデータをＵＥ１３０へ送信するために、（例えば、インデクスＮにおいて）物理ダウンリンク共有チャネル（ＰＤＳＣＨ）９０２を送信しうる。これは、中継局１２０がスニフする。これに基づいて、アンカ基地局１００は、（例えば、Ｎ＋４において）中継局１２０からＡＣＫまたはＮＡＫ９０４を、ＵＥ１３０からＡＣＫまたはＮＡＫ９０６を、受信しうる。その後、アンカ基地局１１０は、（例えば、Ｎ＋８において）事前割当９１０を送信し、中継局１２０に対して、中継局１２０のＵＥ１３０への送信のスケジューリング決定を通知する。しかしながら、説明するように、この事前割当９１０は、オプションの実施形態である。次に、基地局１１０は、ＵＥ１３０へＤＬ割当を送信し、中継局１２０が、（例えば、Ｎ＋１２において）データを含むＰＤＳＣＨ９１６をＵＥ１３０へ送信する。ＵＥ１３０は、その後、ＡＣＫまたはＮＡＫ９１８を、アンカ基地局１１０へ送り返す。システム９００は、ＵＥがデータを復号するまで、事前割当９１０、割当９１４、ＰＤＳＣＨ９１６、およびＡＣＫ／ＮＡＫ９１８の間をループしうることが認識されるべきである。
【００５９】
しかしながら、１つの実施形態では、レイテンシを改善するために、ＵＥ１３０への中継局１２０の送信（例えば、ＰＤＳＣＨ９１６）が、アンカ基地局１１０によって事前スケジュールされうる。この場合、事前割当９１０は、レイテンシを短縮するためにスキップされうる。この例では、ＵＥ１３０へのデータを含むＰＤＳＣＨ９１６の、ＵＥ１３０および中継局１２０へのＤＬ割当９１４が、Ｎ＋８において引き起こる。これは、レイテンシ／制御オーバヘッドおよびデータ効率のトレードオフである。それに加えて、中継局１２０が、ＵＥ１３０からＡＣＫ／ＮＡＫを受信できる場合、中継局１２０とＵＥ１３０との間の同期ＨＡＲＱを用いることによってもレイテンシは短縮されうる。レイテンシ、制御オーバヘッド、およびデータ効率の間のトレードオフは、設計考慮および実装考慮として考慮されうる。
【００６０】
事前スケジュールされた送信フォーマットを用いる中継再送信のためのその他の態様もまた考慮されうる。例えば、１つの実施形態では、このフォーマットは、ＵＥ１３０に基づいて調整されうる。さらに、この事前設定された送信フォーマットは、ＵＥチャネル品質インジケーション（ＣＱＩ）レポートに基づきうる。さらに、この事前設定された送信フォーマットは、オリジナルのＤＬ送信フォーマットに基づきうる。さらに、この事前設定された送信フォーマットは、オリジナルの送信の非同期ＨＡＲＱ再送信の形態をとりうる。例えば、変調符号化スキーム（ＭＣＳ）を利用することにより、例えば、同じディメンションを考慮した場合、ＭＣＳは同じであるか、あるいは変更されうる。例えば、１）バックホール・リンク＞アクセス・リンクである場合、第１の送信のために選択されたＭＣＳは、ＵＥ１３０への中継局１２０の送信よりも高くなりうる。２）バックホール・リンク＜アクセス・リンクである場合、第１の送信のために選択されたＭＣＳは、ＵＥ１３０への中継局１２０の送信よりも低くなりうる。３）ディメンションが変化した場合、ＭＣＳは、それに従って調節されうる。別の実施形態では、ＵＥ１３０への中継局１２０の送信に使用されるリソース要素は、固定されているか、または、オリジナルのＤＬ割当に応じうる。例えば、例示的な実施形態は、同じサイズ＋同じ位置、同じサイズ＋異なる時間周波数位置、異なるサイズ＋同じ位置、異なるサイズ＋異なる位置、を含む。
【００６１】
図１０を参照して、図１０は、関連付けられたＵＥ１３０のための中継局１２０のための透過的な中継のためにＨＡＲＱ手順を適用する処理１０００を例示するフローチャートである。ブロック１００２では、アンカ基地局１１０が、中継局１２０がスニフするＵＥ１３０へダウンリンク（ＤＬ）割当およびデータを送信しうる。判定ブロック１００３では、処理１０００は、中継局１２０が、ＤＬデータを正しく復号したかを判定する。正しく復号された場合、アンカ基地局１１０は、事前割当を中継局１２０へ送信する（ブロック１００６）。次に、アンカ基地局１１０は、ＵＥへ割当を送信する（ブロック１００８）。中継局１２０は、その後、復号されたＤＬデータを、ＵＥ１３０へ送信する（ブロック１０１０）。
【００６２】
一方、判定ブロック１００３において、中継局１２０がＤＬデータを正しく復号しなかったと処理１０００が判定した場合、中継局１２０は、アンカ基地局１１０へＮＡＫを送信する（ブロック１０２０）。アンカ基地局１１０は、その後、ＤＬ割当およびデータをＵＥ１３０へ再送信し（ブロック１０２４）、処理１０００を再開する。
【００６３】
図５のコントローラ／プロセッサ５２０、５４０、５６０は、基地局１１０、中継局１２０、ＵＥ１３０それぞれにおける動作を指示し、また、コントローラ／プロセッサ５２０、５４０、５６０は、図６−１０の処理および方法６００、７００、８００、９００、１０００、および／または、本明細書に記載された技術のためのその他の処理を実行または指示しうることが認識されるべきである。メモリ５２２、５４２、５６２は、基地局１１０、中継局１２０、およびＵＥ１３０それぞれのためのデータおよびプログラム・コードを格納しうる。
【００６４】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６５】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６６】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００６７】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６８】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００６９】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして符号化されうる。コンピュータ読取可能媒体は、コンピュータ記憶媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００７０】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2014014115.tif 000003
【図２】
2014014115.tif 000004
【図３】
2014014115.tif 000005
【図４】
2014014115.tif 000006
【図５】
2014014115.tif 000007
【図６】
2014014115.tif 000008
【図７】
2014014115.tif 000009
【図８】
2014014115.tif 000010
【図９】
2014014115.tif 000011
【図１０】
2014014115.tif 000012
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
無線通信方法であって、
基地局からユーザ機器（ＵＥ）へダウンリンク（ＤＬ）割当およびデータを送信することと、
前記ＤＬデータが中継局によって復号されたかを判定することと、
を備える方法。
【請求項２】
前記ＤＬデータが前記中継局によって復号されている場合、前記基地局から前記中継局へ事前割当を送信することをさらに備える、請求項１に記載の方法。
【請求項３】
前記中継局から前記ＵＥへ、復号されたＤＬデータを送信することをさらに備える、請求項２に記載の方法。
【請求項４】
前記ＤＬデータが前記中継局によって復号されていない場合、前記中継局から前記基地局へ、否定的なアクノレッジメント（ＮＡＫ）信号を送信することをさらに備える、請求項１に記載の方法。
【請求項５】
前記基地局から前記ＵＥへ、ＤＬ割当およびデータを再送信することをさらに備える、請求項４に記載の方法。
【請求項６】
基地局とユーザ機器（ＵＥ）とを備えた通信システムで使用される中継局であって、
前記基地局から前記ＵＥへ送信されたダウンリンク（ＤＬ）データを復号するように構成された命令群を実行するように構成されたプロセッサと、
前記命令群を格納するように構成されたメモリと、
を備える中継局。
【請求項７】
前記ＤＬデータが前記中継局によって復号されている場合、前記基地局から事前割当を受信する、請求項６に記載の中継局。
【請求項８】
復号されたＤＬデータを前記ＵＥへ送信することをさらに備える、請求項７に記載の中継局。
【請求項９】
前記ＤＬデータが前記中継局によって復号されていない場合、前記基地局へ、否定的なアクノレッジメント（ＮＡＫ）信号を送信することをさらに備える、請求項６に記載の中継局。
【請求項１０】
前記基地局は、ＤＬ割当およびデータを、前記ＵＥへ再送信する、請求項９に記載の中継局。
【請求項１１】
装置であって、
基地局からユーザ機器（ＵＥ）へ送信されたダウンリンク（ＤＬ）データを復号する手段を備える装置。
【請求項１２】
前記ＤＬデータが中継局によって復号されている場合、前記基地局から事前割当を受信する手段をさらに備える、請求項１１に記載の装置。
【請求項１３】
復号されたＤＬデータを前記ＵＥへ送信する手段をさらに備える、請求項１２に記載の装置。
【請求項１４】
前記ＤＬデータが中継局によって復号されていない場合、否定的なアクノレッジメント（ＮＡＫ）信号を前記基地局へ送信する手段をさらに備える、請求項１１に記載の装置。
【請求項１５】
前記基地局は、ＤＬ割当およびデータを前記ＵＥへ再送信する、請求項１４に記載の装置。
【請求項１６】
コンピュータ・プログラム製品であって、
少なくとも１つのコンピュータに対して、基地局からユーザ機器（ＵＥ）へ送信されたダウンリンク（ＤＬ）データを復号させるためのコードを備えるコンピュータ読取可能媒体を備える、コンピュータ・プログラム製品。
【請求項１７】
前記ＤＬデータが前記中継局によって復号されている場合、少なくとも１つのコンピュータに対して、前記基地局から事前割当を受信させるためのコードをさらに備える、請求項１６に記載のコンピュータ・プログラム製品。
【請求項１８】
少なくとも１つのコンピュータに対して、復号されたＤＬデータを前記ＵＥへ送信させるためのコードをさらに備える、請求項１７に記載のコンピュータ・プログラム製品。
【請求項１９】
前記ＤＬデータが前記中継局によって復号されていない場合、少なくとも１つのコンピュータに対して、前記基地局へ、否定的なアクノレッジメント（ＮＡＫ）信号を送信させるためのコードをさらに備える、請求項１６に記載のコンピュータ・プログラム製品。
【請求項２０】
前記基地局は、ＤＬ割当およびデータを、前記ＵＥへ再送信する、請求項１９に記載のコンピュータ・プログラム製品。
【手続補正２】
【補正対象書類名】明細書
【補正対象項目名】００７０
【補正方法】変更
【補正の内容】
【００７０】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に本願出願当初の特許請求の範囲を付記する。
[Ｃ１]  装置であって、
データ・パケットを復号し、前記データ・パケットを、中継局によってサービス提供されているユーザ機器（ＵＥ）と基地局との間で転送し、ここで、前記中継局は、前記ＵＥとダイレクトなリンクを確立しない、
前記データ・パケットの復号の成功を前記基地局へ示し、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
ための命令群を実行するように構成されたプロセッサと、
前記命令群を格納するように構成されたメモリと、
を備える装置。
[Ｃ２]  前記基地局から前記ＵＥへアクノレッジメント（ＡＣＫ）を送信することをさらに備える、Ｃ１に記載の装置。
[Ｃ３]  前記基地局が前記データ・パケットを復号したかを判定することをさらに備える、Ｃ１に記載の装置。
[Ｃ４]  前記基地局が前記データ・パケットを復号しなかった場合、復号されたデータ・パケットを前記基地局へ送信することをさらに備える、Ｃ３に記載の装置。
[Ｃ５]  前記中継局が前記データ・パケットを復号しなかった場合、否定的なアクノレッジメント（ＮＡＫ）を前記中継局から前記基地局へ送信することをさらに備える、Ｃ１に記載の装置。
[Ｃ６]  前記中継局が前記データ・パケットを復号しなかった場合、否定的なアクノレッジメント（ＮＡＫ）を前記基地局から前記ＵＥへ送信することと、前記ＵＥによる前記データ・パケットの再送信とをさらに備える、Ｃ５に記載の装置。
[Ｃ７]  方法であって、
データ・パケットを復号し、前記データ・パケットを、中継局によってサービス提供されているユーザ機器（ＵＥ）と基地局との間で転送することと、ここで、前記中継局は、前記ＵＥとダイレクトなリンクを確立しない、
前記データ・パケットの復号の成功を前記基地局へ示すことと、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
を備える方法。
[Ｃ８]  前記基地局から前記ＵＥへアクノレッジメント（ＡＣＫ）を送信することをさらに備える、Ｃ７に記載の方法。
[Ｃ９]  前記基地局が前記データ・パケットを復号したかを判定することをさらに備える、Ｃ７に記載の方法。
[Ｃ１０]  前記基地局が前記データ・パケットを復号しなかった場合、復号されたデータ・パケットを前記基地局へ送信することをさらに備える、Ｃ９に記載の方法。
[Ｃ１１]  前記中継局が前記データ・パケットを復号しなかった場合、否定的なアクノレッジメント（ＮＡＫ）を前記中継局から前記基地局へ送信することをさらに備える、Ｃ７に記載の方法。
[Ｃ１２]  前記中継局が前記データ・パケットを復号しなかった場合、否定的なアクノレッジメント（ＮＡＫ）を前記基地局から前記ＵＥへ送信することと、前記ＵＥによる前記データ・パケットの再送信とをさらに備える、Ｃ１１に記載の方法。
[Ｃ１３]  コンピュータ・プログラム製品であって、
データ・パケットを復号し、前記データ・パケットを、中継局によってサービス提供されているユーザ機器（ＵＥ）と基地局との間で転送することと、ここで、前記中継局は、前記ＵＥとダイレクトなリンクを確立しない、
前記データ・パケットの復号の成功を前記基地局へ示すことと、ここで、前記基地局が、前記中継局から、前記データ・パケットの復号の成功を示す情報を受信した場合、前記基地局は、前記基地局と前記ＵＥとの間のダイレクトなリンクでのハイブリッド自動反復要求（ＨＡＲＱ）送信を終了させ、これによって、ＨＡＲＱ再送信時間が、前記基地局と前記ＵＥとの間のダイレクトな通信に対して延長されるようになる、
を少なくとも１つのコンピュータに対して実行させるためのコードを備えるコンピュータ読取可能媒体を備える、コンピュータ・プログラム製品。
[Ｃ１４]  少なくとも１つのコンピュータに対して、前記基地局から前記ＵＥへアクノレッジメント（ＡＣＫ）を送信させるためのコードをさらに備える、Ｃ１３に記載のコンピュータ・プログラム製品。
[Ｃ１５]  少なくとも１つのコンピュータに対して、前記基地局が前記データ・パケットを復号したかを判定させるためのコードをさらに備える、Ｃ１３に記載のコンピュータ・プログラム製品。
[Ｃ１６]  前記基地局が前記データ・パケットを復号しなかった場合、少なくとも１つのコンピュータに対して、復号されたデータ・パケットを前記基地局へ送信させるためのコードをさらに備える、Ｃ１５に記載のコンピュータ・プログラム製品。
[Ｃ１７]  前記中継局が前記データ・パケットを復号しなかった場合、少なくとも１つのコンピュータに対して、否定的なアクノレッジメント（ＮＡＫ）を前記中継局から前記基地局へ送信させるためのコードをさらに備える、Ｃ１３に記載のコンピュータ・プログラム製品。
[Ｃ１８]  前記中継局が前記データ・パケットを復号しなかった場合、少なくとも１つのコンピュータに対して、否定的なアクノレッジメント（ＮＡＫ）の前記基地局から前記ＵＥへの送信と、前記ＵＥによる前記データ・パケットの再送信とを実行させるためのコードをさらに備える、Ｃ１７に記載のコンピュータ・プログラム製品。
[Ｃ１９]  装置であって、
データ・パケットを復号し、前記データ・パケットを、中継局によってサービス提供されているユーザ機器（ＵＥ）と基地局との間で転送する手段と、ここで、前記中継局は、前記ＵＥとダイレクトなリンクを確立しない、
前記データ・パケットの復号の成功を前記基地局へ示す手段と、ここで、前記基地局が、前記中継局から、前記データ・パケットの復号の成功を示す情報を受信した場合、前記基地局１１０は、前記基地局と前記ＵＥとの間のダイレクトなリンクでのＨＡＲＱ送信を終了させ、これによって、ＨＡＲＱ再送信時間が、前記基地局と前記ＵＥとの間のダイレクトな通信に対して延長されるようになる、
を備える装置。
[Ｃ２０]  前記基地局から前記ＵＥへアクノレッジメント（ＡＣＫ）を送信する手段をさらに備える、Ｃ１９に記載の装置。
[Ｃ２１]  前記基地局が前記データ・パケットを復号したかを判定する手段をさらに備える、Ｃ１９に記載の装置。
[Ｃ２２]  前記基地局が前記データ・パケットを復号しなかった場合、復号されたデータ・パケットを前記基地局へ送信する手段をさらに備える、Ｃ２１に記載の装置。
[Ｃ２３]  前記中継局が前記データ・パケットを復号しなかった場合、否定的なアクノレッジメント（ＮＡＫ）を前記中継局から前記基地局へ送信する手段をさらに備える、Ｃ１９に記載の装置。
[Ｃ２４]  前記中継局が前記データ・パケットを復号しなかった場合、否定的なアクノレッジメント（ＮＡＫ）の前記基地局から前記ＵＥへの送信と、前記ＵＥによる前記データ・パケットの再送信とのための手段をさらに備える、Ｃ２３に記載の装置。
[Ｃ２５]  無線通信方法であって、
基地局からユーザ機器（ＵＥ）へダウンリンク（ＤＬ）割当およびデータを送信することと、
前記ＤＬデータが中継局によって復号されたかを判定することと、
を備える方法。
[Ｃ２６]  前記ＤＬデータが前記中継局によって復号されている場合、前記基地局から前記中継局へ事前割当を送信することをさらに備える、Ｃ２５に記載の方法。
[Ｃ２７]  前記中継局から前記ＵＥへ、復号されたＤＬデータを送信することをさらに備える、Ｃ２６に記載の方法。
[Ｃ２８]  前記ＤＬデータが前記中継局によって復号されていない場合、前記中継局から前記基地局へ、否定的なアクノレッジメント（ＮＡＫ）信号を送信することをさらに備える、Ｃ２５に記載の方法。
[Ｃ２９]  前記基地局から前記ＵＥへ、ＤＬ割当およびデータを再送信することをさらに備える、Ｃ２８に記載の方法。
[Ｃ３０]  基地局とユーザ機器（ＵＥ）とを備えた通信システムで使用される中継局であって、
前記基地局から前記ＵＥへ送信されたダウンリンク（ＤＬ）データを復号するように構成された命令群を実行するように構成されたプロセッサと、
前記命令群を格納するように構成されたメモリと、
を備える中継局。
[Ｃ３１]  前記ＤＬデータが前記中継局によって復号されている場合、前記基地局から事前割当を受信する、Ｃ３０に記載の中継局。
[Ｃ３２]  復号されたＤＬデータを前記ＵＥへ送信することをさらに備える、Ｃ３１に記載の中継局。
[Ｃ３３]  前記ＤＬデータが前記中継局によって復号されていない場合、前記基地局へ、否定的なアクノレッジメント（ＮＡＫ）信号を送信することをさらに備える、Ｃ３０に記載の中継局。
[Ｃ３４]  前記基地局は、ＤＬ割当およびデータを、前記ＵＥへ再送信する、Ｃ３３に記載の中継局。
[Ｃ３５]  装置であって、
基地局からユーザ機器（ＵＥ）へ送信されたダウンリンク（ＤＬ）データを復号する手段を備える装置。
[Ｃ３６]  前記ＤＬデータが中継局によって復号されている場合、前記基地局から事前割当を受信する手段をさらに備える、Ｃ３５に記載の装置。
[Ｃ３７]  復号されたＤＬデータを前記ＵＥへ送信する手段をさらに備える、Ｃ３６に記載の装置。
[Ｃ３８]  前記ＤＬデータが中継局によって復号されていない場合、否定的なアクノレッジメント（ＮＡＫ）信号を前記基地局へ送信する手段をさらに備える、Ｃ３５に記載の装置。
[Ｃ３９]  前記基地局は、ＤＬ割当およびデータを前記ＵＥへ再送信する、Ｃ３８に記載の装置。
[Ｃ４０]  コンピュータ・プログラム製品であって、
少なくとも１つのコンピュータに対して、基地局からユーザ機器（ＵＥ）へ送信されたダウンリンク（ＤＬ）データを復号させるためのコードを備えるコンピュータ読取可能媒体を備える、コンピュータ・プログラム製品。
[Ｃ４１]  前記ＤＬデータが前記中継局によって復号されている場合、少なくとも１つのコンピュータに対して、前記基地局から事前割当を受信させるためのコードをさらに備える、Ｃ４０に記載のコンピュータ・プログラム製品。
[Ｃ４２]  少なくとも１つのコンピュータに対して、復号されたＤＬデータを前記ＵＥへ送信させるためのコードをさらに備える、Ｃ４１に記載のコンピュータ・プログラム製品。
[Ｃ４３]  前記ＤＬデータが前記中継局によって復号されていない場合、少なくとも１つのコンピュータに対して、前記基地局へ、否定的なアクノレッジメント（ＮＡＫ）信号を送信させるためのコードをさらに備える、Ｃ４０に記載のコンピュータ・プログラム製品。
[Ｃ４４]  前記基地局は、ＤＬ割当およびデータを、前記ＵＥへ再送信する、Ｃ４３に記載のコンピュータ・プログラム製品。
【外国語明細書】
2014014115000001.pdf